(57)【要約】【課題】  エンターテイメント性を一段と向上し得る招待状を提案することにある。【解決手段】  結婚披露宴の短冊形招待状２を、ライブコンサートにおけるチケットの形状と同じような短冊形状に形成するとともに、当該チケットと同じように二つ折りの収納ケース３に収納して封筒５に封入することにより、封筒５を開封して短冊形招待状２を確認する招待予定者に対して、結婚披露宴であるにも係らずあたかもライブコンサートに招待されたのと同様の発想を起こさせることができ、かくしてエンターテイメント性を一段と向上し得る。【選択図】        図２
0003102980.tif 000002
【実用新案登録請求の範囲】
【請求項１】
慶事が行われることを招待予定者に通知する慶事用招待状セットにおいて、ほぼ短冊形状に形成された短冊形招待状と、ケース本体に前記短冊形招待状を係止させた状態で折り目を介して折返片を折り返すことにより、前記ケース本体及び前記折返片の間に前記短冊形招待状を収納する収納ケースと、前記ケース本体に前記折返片を折り返した二折状態で前記収納ケースを封入する封筒とを備えることを特徴する慶事用招待状セット。
【請求項２】
前記慶事に関する慶事情報が記載され、二つの折り目を介して三折に折り畳み可能なパンフレットを備え、前記封筒は、前記収納ケースとともに、前記パンフレットを三折状態で封入することを特徴とする請求項１記載の慶事用招待状セット。
【請求項３】
前記短冊形招待状は、前記慶事に関する文字列が長手方向に沿って横書き、縦書き及び斜め書きのうち少なくともいずれか１つで記載されていることを特徴とする請求項１又は２記載の慶事用招待状セット。
【請求項４】
前記短冊形招待状は、ミシン目を介して切り取り可能な切取片が設けられていることを特徴とする請求項１乃至３のうちいずれか１項記載の慶事用招待状セット。
【請求項５】
前記短冊形招待状は、熱可塑性樹脂でなり、かつ透明又は半透明で形成された第１の招待状本体と、紙製で形成された第２の招待状本体とから構成されていることを特徴とする請求項１乃至４のうちいずれか１項記載の慶事用招待状セット。
【考案の詳細な説明】
【技術分野】
【０００１】
この考案は、慶事用招待状セットに関し、例えば、結婚式や披露宴（以下、これらをまとめて結婚披露宴と呼ぶ）が行われることを招待予定者に対して通知する結婚披露宴用招待状セットに適用して好適なものである。
【背景技術】
【０００２】
近年、結婚披露宴は、その形式が多様化し、主催者である新郎新婦によって結婚披露宴を行う会場やウエディングスタイルなどが自由に選択され様々な雰囲気を演出し得るようになされており、例えば、ライブコンサートのような雰囲気が演出されることにより、招待者に対して結婚披露宴であるにも係らずあたかもライブコンサートが開催されているかのような発想を抱かせるようにさせるなど、そのエンターテイメント性が向上してきている。
【０００３】
ところで、このような結婚披露宴を行うことを招待予定者に通知する場合には、実開平６−５５７６５号公報のように、新郎新婦及び差出人（親）の氏名や、結婚披露宴を開く旨の本文、結婚披露宴の会場及び日時などが記載された招待状を、封筒に封入した結婚披露宴用招待状セットが用いられている。
【考案の開示】
【考案が解決しようとする課題】
【０００４】
ところが、このような結婚披露宴用招待状セットでは、単に結婚披露宴の開催日時や結婚披露宴が行われる会場などが記載されているに過ぎないため、招待状により結婚披露宴を行うことを通知した時点で招待予定者に対して結婚披露宴がどのような演出で行われるのかを発想させ難いものとなっていた。そして、結婚披露宴のエンターテイメント性を考えると、招待状によっても結婚披露宴がどのような演出で行われるのかを発想させ、そのエンターテイメント性を向上させることが望ましい。
【０００５】
そこで本考案は以上の点を考慮してなされたもので、エンターテイメント性を一段と向上し得る慶事用招待状セットを提案しようとするものである。
【課題を解決するための手段】
【０００６】
本考案の請求項１では、慶事が行われることを招待予定者に通知する慶事用招待状セットにおいて、ほぼ短冊形状に形成された短冊形招待状と、ケース本体に前記短冊形招待状を係止させた状態で折り目を介して折返片を折り返すことにより、前記ケース本体及び前記折返片の間に前記短冊形招待状を収納する収納ケースと、前記ケース本体に前記折返片を折り返した二折状態で前記収納ケースを封入する封筒とを備えるようにした。
【０００７】
本考案の請求項２では、前記慶事に関する慶事情報が記載され、二つの折り目を介して三折に折り畳み可能なパンフレットを備え、前記封筒は、前記収納ケースとともに、前記パンフレットを三折状態で封入するようにした。
【０００８】
本考案の請求項３では、前記短冊形招待状は、前記慶事に関する文字列が長手方向に沿って横書き、縦書き及び斜め書きのうち少なくともいずれか１つで記載されるようにした。
【０００９】
本考案の請求項４では、前記短冊形招待状は、ミシン目を介して切り取り可能な切取片が設けられているようにした。
【００１０】
本考案の請求項５では、前記短冊形招待状は、熱可塑性樹脂でなり、かつ透明又は半透明で形成された第１の招待状本体と、紙製で形成された第２の招待状本体とから構成されているようにした。
【考案の効果】
【００１１】
本考案の請求項１によれば、封筒を開封した招待予定者に対して、ライブコンサートと異なる慶事であるにも係らずあたかもライブコンサートに招待されたのと同様の発想を起こさせることができ、かくしてエンターテイメント性を一段と向上し得る。
【００１２】
本考案の請求項２によれば、結婚披露宴に関する情報が記載されたパンフレットを、収納ケースとともに封筒内に封入することにより、封筒を開封する招待予定者に対して、あたかもライブコンサートに招待されたのと同様の発想を一段と起こさせることができる。
【００１３】
本考案の請求項３によれば、短冊形招待状に結婚披露宴に関する文字列が長手方向に沿って横書き、縦書き及び斜め書きのうち少なくともいずれか１つで記載されているので、招待予定者に対して短冊形招待状を横方向に目視させることができ、かくして一段とライブコンサートのチケットを認識しているのと同様の発想を抱かせることができる。
【００１４】
本考案の請求項４によれば、来場した際に受付において、切取片を切り取ることにより、来場の際に招待者に対して受付で記帳させることなく来場確認を行うことができ、かくして会場にスムーズに入場させることができるとともに、来場者の受付業務が煩雑になることを防止できる。
【００１５】
本考案の請求項５によれば、第１の招待状本体を透明又は半透明に形成することにより、ケース本体に係止したときに第２の招待状本体が第１の招待状本体に透過表示されて表示に変化を与えることができ、かくして招待予定者の興味を惹きつけることができる。また熱可塑性樹脂でなる第１の招待状本体を設けるようにしたことにより、紙製に比べ丈夫なため折れ難く、かつ耐水性があるので、持ち運びの際に第１の招待状本体の損傷を防止できる。
【考案を実施するための最良の形態】
【００１６】
以下、本考案における好ましい実施例について、添付図面を参照しながら説明する。
【００１７】
図１において、１は全体として本考案の結婚披露宴用招待状セットを示し、当該結婚披露宴用招待状セット１は、ほぼ短冊形状でなる短冊形招待状２と、当該短冊形招待状２を収納する収納ケース３と、結婚披露宴に関する種々の情報（以下、これを結婚披露宴情報と呼ぶ）が記載されたパンフレット４と、短冊形招待状２を収納した収納ケース３及びパンフレット４を封止する封筒５とで構成されている。
【００１８】
実際上、この封筒５は、パンフレット４を三つ折りの状態で収納するとともに、収納ケース３を二つ折りの状態で収納し、封筒５の折返片（以下、これを封筒側折返片と呼ぶ）６を折り目７を介して封筒本体８に折り返した後（図中矢印Ａ方向）、シール（図示せず）などを用いて封筒５内部に短冊形招待状２と収納ケース３とパンフレット４とを封入し得るようになされている。
【００１９】
パンフレット４は、図２に示すように、ほぼ矩形状でなり、縦寸法が封筒５の縦寸法よりも大きく形成されているとともに、横寸法が収納ケース３の横寸法とほぼ同一寸法に形成され、短手方向に沿って２つの折り目9a及び9bが形成されていることにより、封筒５内に収納できる大きさに三つ折りに折り畳めるようになされている。
【００２０】
因みに、パンフレット４には、季節の挨拶及び結婚披露宴を開く旨の本文、新郎新婦や差出人（親）の氏名が記載された結婚報告欄10と、結婚披露宴が行われる会場（以下、単に会場という）の写真が掲載された会場イメージ欄11と、結婚披露宴の日時及び出欠席の届出依頼、会場の住所、連絡先が記載された開催案内欄12とによって構成されており、結婚披露宴情報を招待予定者に確実に通知し得るようになされている。
【００２１】
図３（Ａ）に示すように、収納ケース３は、全体としてほぼ矩形状に形成され、やや厚めで適度の剛性を有した紙製でなり、ケース本体13に折り目14を介して折返片15が連設されている。これにより、収納ケース３は、図３（Ｂ）に示すように、折り目14を介してケース本体13に折返片15が折り返されて二つ折り可能に形成されている。
【００２２】
実際上、この折り目14は、収納ケース３の長手方向に沿って直線状に形成されていることにより、ケース本体13に折返片15が折り返されると、全体としてほぼ短冊形状に形成し得るようになされている。
【００２３】
これにより収納ケース３は、ケース本体13と折返片15との間に短冊形状の短冊形招待状２全体を確実に収納し得るように構成されており、当該短冊形招待状２の損傷を防止し得るようになされている。
【００２４】
因みに、この実施の形態の場合、ケース本体14から折返片15が開くことにより現れる裏面16には、会場の写真や新郎新婦などがイメージする結婚披露宴に関する絵柄が記載されており、ケース本体13から折返片15が開くことにより絵柄を認識させ、所望のイメージを瞬時に発想させ得る。
【００２５】
図４に示すように、ケース本体13は、斜め方向に対向する２つの角部の近傍に斜めの切り込みでなる係止部17を有し、短冊形招待状２の角部（この場合、斜め方向に対向する２つの角部）を係止部17に差し込み得ることにより当該短冊形招待状２を着脱可能に係止し得る。
【００２６】
図５（Ａ）及び（Ｂ）に示すように、短冊形招待状２は、半透明の第１の招待状本体20と、不透明の第２の招待状本体21とで構成され、第１の招待状本体20の横寸法W1及び高さ寸歩H1と、第２の招待状本体21の横寸法W2及び高さ寸法H2とがほぼ同一寸法で形成されていることにより、長手方向及び短手方向の各端部がほぼ一致した状態でケース本体13の係止部17に係止し得る。
【００２７】
この実施の形態の場合、短冊形招待状２は、半透明の第１の招待状本体20の背面（図示せず）を第２の招待状本体21の正面21Aに載置させた状態でケース本体13の係止部17に係止されることにより、第２の招待状本体21に記載された情報などが第１の招待状本体20の正面20Aを介して透過表示され、新たなイメージ絵柄を構成し得るようになされている。
【００２８】
実際上、第１の招待状本体20は、半透明の熱可塑性樹脂でなる半透明フィルムで形成されており、例えばオンデマンド方式などによって、その正面20Aの長手方向に沿って結婚披露宴情報に関する文字列が横書きで印刷されている。
【００２９】
因みに、この実施の形態の場合、第１の招待状本体20は、結婚披露宴の招待状であることを示す結婚披露宴表示欄22と、季節の挨拶文や結婚披露宴を行う旨などの文字列が記載された招待欄23とを有し、結婚披露宴情報のうち主として新郎新婦に関する情報を提示し得るようになされている。
【００３０】
また、第２の招待状本体21は、やや厚めで適度の剛性を有した紙製でなり、その正面21Aの長手方向に沿って、結婚披露宴情報に関する文字列が横書きで印刷されている。
【００３１】
因みに、この実施の形態の場合、第２の招待状本体21は、結婚披露宴が行われる日時及び場所が記載された会場情報欄24と、会場の写真や結婚披露宴のイメージ絵柄など任意の絵柄が掲載されたイメージ欄25とを有し、結婚披露宴情報のうち主として会場に関する情報を提示し得るようになされている。
【００３２】
そして、第２の招待状本体21は、第１の招待状本体20に重ね合わせて係止部17に係止されることにより、イメージ欄25が第１の招待状本体の招待欄23に透過表示され、当該透過表示されたイメージ絵柄を背景として結婚披露宴を行う旨などのコメント文が視覚的に認識し得、その結果、新たなイメージ絵柄を構成し得るようになされている。
【００３３】
因みに、この実施の形態の場合、第１の招待状本体20の結婚披露宴表示欄22は、緑などの色彩が付されていることにより、第２の招待状本体21の会場情報欄24が第１の招待状本体20の結婚披露宴表示欄22に透過表示し得ないように形成されている。
【００３４】
以上の構成において、招待予定者に対して結婚披露宴の招待を通知する際、招待予定者に封筒５を開封させた後２つ折りの収納ケース３を取り出させ、当該収納ケース３を開かせてケース本体13に係止された短冊形状の短冊形招待状２を目視させることができる。
【００３５】
ところで、エンターテイメント性が求められているライブコンサートでは、慣習上、短冊形状に形成され、かつ長手方向に沿ってライブコンサートに関する情報を示す文字列が横書きされたチケットが、二つ折りの収納ケースに収納されて、ライブコンサートのパンフレットとともに封筒に封入されて購入先から当該チケットの購入者に対して送られている。
【００３６】
従って、結婚披露宴の短冊形招待状２を、このようなライブコンサートにおけるチケットの形状と同じような短冊形状に形成するとともに、当該チケットと同じように二つ折りの収納ケース３に収納して封筒５に封入することにより、封筒５を開封して短冊形招待状２を確認する招待予定者に対して、結婚披露宴であるにも係らずあたかもライブコンサートに招待されたのと同様の発想を起こさせることができる。
【００３７】
以上の構成によれば、短冊形招待状２を係止させた二つ折りの収納ケース３を封筒５に封入することにより、封筒５を開封する招待予定者に対して、結婚披露宴であるにも係らずあたかもライブコンサートに招待されたのと同様の発想を起こさせることができ、かくしてエンターテイメント性を一段と向上し得る。
【００３８】
また、結婚披露宴に関する情報が記載されたパンフレット４を収納ケース３とともに封筒５内に封入することにより、封筒５を開封する招待予定者に対して、あたかもライブコンサートに招待されたのと同様の発想を一段と起こさせることができる。
【００３９】
さらに、短冊形招待状２は、結婚披露宴に関する文字列が長手方向に沿って横書きされていることにより、招待予定者に対して短冊形招待状２を横方向に目視させることができ、かくして一段とライブコンサートのチケットを認識しているのと同様の発想を抱かせることができる。
【００４０】
さらに加えて、熱可塑性樹脂でなる第１の招待状本体20を設けるようにしたことにより、紙製に比べ丈夫なため折れ難く、かつ耐水性があるので、持ち運びの際に第１の招待状本体20の損傷を防止できる。
【００４１】
また、第１の招待状本体20を半透明に形成することにより、ケース本体13に係止したときに第２の招待状本体21のイメージ欄25が第１の招待状本体20の招待欄23に透過表示されて表示に変化を与えることができ、かくして招待予定者の興味を惹きつけることができる。
【００４２】
なお、上述した実施の形態においては、第２の招待状本体21を一体形成するようにした場合について述べたが、本考案はこれに限らず、図５との対応部分に同一符号を付して示す図６（A）のように、第２の招待状本体50にミシン目51を形成することにより、当該ミシン目51を介して切り取り可能な切取片52を設けるようにしても良い。
【００４３】
この場合、第２の招待状本体50は、やや厚めで適度の剛性を有した紙製でなり、会場情報欄24を有する本体片53と、イメージ欄25を有する切取片52とがミシン目51を介して連設されており、図６（B）に示すように、本体片53の背面53Aに会場を示す補足情報として地図54が記載されているとともに、切取片52の背面52Aに新郎新婦に対するメッセージを記載させるためのメッセージ欄55が設けられている。
【００４４】
従って、来場した際に受付において、予めメッセージ欄55に自己の氏名を記載した切取片52を本体片53から切り取ることにより、来場の際に招待者に対して受付で記帳させる手間をなくすことができ、かくして会場にスムーズに入場させることができるとともに、来場者の受付業務が煩雑になることを防止できる。因みに、紙製の第２の招待状本体50に切取片52を設けるようにした場合について述べたが、本考案はこれに限らず、熱可塑性樹脂で形成した第１の招待状本体20に切取片を設けるようにしても良い。
【００４５】
また、上述した実施の形態においては、本考案による慶事用招待状セットとして、結婚披露宴に用いる結婚披露宴用招待状セット１に適用するようにした場合について述べたが、本考案はこれに限らず、例えば、銀婚式や成人式、入園・入学式、或いは上棟式、創立祝などこの他種々の慶事に用いる慶事用招待状セットに適用するようにしても良い。
【００４６】
さらに、上述した実施の形態においては、短冊形招待状２の長手方向に沿って結婚披露宴に関する文字列を横書きするようにした場合について述べたが、本考案はこれに限らず、短冊形招待状２の短手方向に沿って結婚披露宴に関する文字列を縦書き又は横書きるようにしたり、短冊形招待状２の長手方向に沿って結婚披露宴に関する文字列を縦書きするようにしたり、或いは短冊形招待状２の長手方向又は短手方向に対して結婚披露宴に関する文字列を斜め書きするようにしても良い。
【００４７】
さらに、上述した実施の形態においては、第１の招待状本体20を半透明に形成するようにした場合について述べたが、本考案はこれに限らず、第１の招待状本体20を透明に形成するようにしても良い。
【図面の簡単な説明】
【００４８】
【図１】本考案による結婚披露宴用招待状セットの全体構成を示す略線図である。
【図２】パンフレットの正面構成を示す略線図である。
【図３】収納ケースの正面構成を示す略線図である。
【図４】収納ケースから短冊形招待状が脱着する様子を示す正面図である。
【図５】第１及び第２の招待状本体の正面構成を示す略線図である。
【図６】他の実施の形態による第２の招待状本体の正面構成及び背面構成を示す略線図である。
【符号の説明】
【００４９】
１ 結婚披露宴用招待状セット（慶事用招待状セット）
２  短冊形招待状
３  収納ケース
４  パンフレット
５  封筒
13  ケース本体
14  折り目
15  折返片
20  第１の招待状本体
21  50  第２の招待状本体
51  ミシン目
52  切取片
【図１】
0003102980.tif 000003
【図２】
0003102980.tif 000004
【図３】
0003102980.tif 000005
【図４】
0003102980.tif 000006
【図５】
0003102980.tif 000007
【図６】
0003102980.tif 000008